(57)【要約】【課題】隣接して設置される複数の柔道畳の周囲に寄せ枠を設けなくてもずれが生じない柔道畳を提供する。【解決手段】複数枚の柔道畳２，３，４，５によって形成される柔道場１の周縁部に設置される柔道畳３，４，５であって、前記柔道畳３，４，５は、前記周縁部に前記柔道畳３，４，５と隣接して設置される柔道畳３，４，５と連結し、柔道場１の内部に設置される柔道畳２を囲む連結部が設けられるので、柔道場１の内部に設置される柔道畳２は、柔道場１の周縁部に設置される柔道畳３，４，５によって囲まれ柔道畳２の移動が制限されるので、競技者の動きによってずれることがなく、隣接して設置される複数の柔道畳２の周囲に寄せ枠を設けることを要しない。【選択図】図１
2011162968.tif 000002
【特許請求の範囲】
【請求項１】
複数枚の柔道畳によって形成される柔道場の周縁部に設置される周縁用の柔道畳であって、
前記周縁用の柔道畳は、前記周縁部に前記周縁用の柔道畳と隣接して設置される他の周縁用の柔道畳と連結し柔道場の内部に設置される柔道畳を囲む連結部が設けられることを特徴とする柔道畳。
【請求項２】
前記連結部は、面ファスナーであることを特徴とする請求項１に記載の柔道畳。
【請求項３】
前記柔道畳は、長手方向両端面に各々雄面ファスナーと雌面ファスナーとが設けられる第１の柔道畳と、第１の柔道畳の長手方向の端面に設けられる雌面ファスナーと接着する雄面ファスナーを短手方向の端面に有し、第１の柔道畳の長手方向端面に設けられる雄面ファスナーと接着する雌面ファスナーを長手方向の端面に有する第２の柔道畳と、第１の柔道畳の長手方向端面に設けられる雄面ファスナーと接着する雌面ファスナーを短手方向の端面に有し、第１の柔道畳の長手方向端面に設けられる雌面ファスナーと接着する雄面ファスナーを長手方向の端面に有する第３の柔道畳との少なくとも３種類あることを特徴とする請求項１または２に記載の柔道畳。
【発明の詳細な説明】
【技術分野】
【０００１】
本発明は、柔道畳の技術に関し、より詳細には、複数の柔道畳が隣接して設置された周囲に寄せ枠を設けなくても柔道畳にずれが生じない柔道畳の技術に関する。
【背景技術】
【０００２】
従来は、たとえば複数枚の柔道畳を隣接して設置して正方形の柔道場を設置する場合には、正方形に設置した柔道畳の周囲に木製あるいはゴム製の寄せ枠が設けられる。寄せ枠によって柔道畳のずれが防止されるので、柔道畳のずれに起因した競技者の怪我が防止される。
【発明の概要】
【発明が解決しようとする課題】
【０００３】
柔道畳の周囲に寄せ枠を設置しなければならないので、体育館などの床面に簡易に柔道場を設置することができない。体育館などの床面に、たとえば木製の寄せ枠を設けた場合には、床面を傷付けるという問題もある。また、寄せ枠を設置するためのスペースが必要となり、狭い場所で柔道場を設置する場合には柔道畳を設置することができる床面が制限される。
【０００４】
本発明の目的は、このような課題を解決するもので、隣接して設置される複数の柔道畳の周囲に寄せ枠を設けなくてもずれが生じない柔道畳を提供することである。
【課題を解決するための手段】
【０００５】
請求項１に記載の発明は、複数枚の柔道畳によって形成される柔道場の周縁部に設置される周縁用の柔道畳であって、前記周縁用の柔道畳は、前記周縁部に前記周縁用の柔道畳と隣接して設置される他の周縁用の柔道畳と連結し柔道場の内部に設置される柔道畳を囲む連結部が設けられる。また、請求項２に記載の発明によると、前記連結部は、面ファスナーである。また、請求項３に記載の発明によると、前記柔道畳は、長手方向両端面に各々雄面ファスナーと雌面ファスナーとが設けられる第１の柔道畳と、第１の柔道畳の長手方向の端面に設けられる雌面ファスナーと接着する雄面ファスナーを短手方向の端面に有し、第１の柔道畳の長手方向端面に設けられる雄面ファスナーと接着する雌面ファスナーを長手方向の端面に有する第２の柔道畳と、第１の柔道畳の長手方向端面に設けられる雄面ファスナーと接着する雌面ファスナーを短手方向の端面に有し、第１の柔道畳の長手方向端面に設けられる雌面ファスナーと接着する雄面ファスナーを長手方向の端面に有する第３の柔道畳との少なくとも３種類ある。
【発明の効果】
【０００６】
請求項１記載の発明によれば、周縁用の柔道畳は、周縁部に前記周縁用の柔道畳と隣接して設置される他の周縁用の柔道畳と連結し、柔道場の内部に設置される柔道畳を囲む連結部が設けられるので、柔道場の内部に設置される柔道畳は、柔道場の周縁部に設置される柔道畳によって囲まれ移動が制限されるので、競技者の動きによってずれることがなく、隣接して設置される複数の柔道畳の周囲に寄せ枠を設けることを要しない。
【図面の簡単な説明】
【０００７】
【図１】本発明の第１の実施形態における柔道場１の平面図である。
【図２】柔道畳３，４および５の面ファスナー６，７の縫いつけ位置を示す図である。
【図３】柔道畳３の雄面ファスナー６および雌面ファスナー７の縫い付け部を示す斜視図である。
【図４】柔道畳４の雄面ファスナー６の縫い付け部を示す斜視図である。
【図５】本発明の第２の実施形態における柔道畳３の雄面ファスナー６の縫い付け部を示す斜視図である。
【発明を実施するための形態】
【０００８】
本発明の第１の実施形態について図１，図２，図３および図４に基づいて説明する。図１は、本発明の一実施形態における柔道場１の平面図である。柔道場１は、５０枚の柔道畳２，３，４および５が隣接して設置されて概ね正方形に形成される。柔道場１の中央部には、縦に４枚隣接して配置した柔道畳２を８列設け、合計３２枚の柔道畳２が設けられる。正方形に形成された３２枚の柔道畳２の周囲には、１８枚の柔道畳３，４および５が正方形のリング状に連結されて設置される。柔道畳３は、正方形のリング状に連結された直線部分に１４枚配置される。柔道畳４は、正方形のリングの対向する角部に２箇所配置され、柔道畳５は他方の対向する角部に２箇所配置される。
【０００９】
なお、柔道畳２は、すべて同じ方向に向けて設置しているが、これに限定されるものではなく、図２に示す方向に対して直交する方向に配置したものを含んでもよい。
柔道畳２，３，４，５は、合成樹脂の発泡体を含む積層体からなる畳床と表面材とからなり、表面材は、畳床を上方から包み込み、畳床に縫合される。畳床を構成する積層体に含まれる合成樹脂の発泡体としては、ポリエチレン発泡体などが挙げられ、表面材としてはポリ塩化ビニル、ポリエチレン製のシート等が用いられる。
【００１０】
図２は、柔道畳３，４，５の雄面ファスナー６および雌面ファスナー７の縫い付け位置を示す図である。柔道畳３，４および５の端面８，９，１０，１１，１２，１３には、連結部である雄面ファスナー６および雌面ファスナー７が縫い付けられる。柔道畳３，４および５は、面ファスナー６，７で連結され、周囲に隣接した状態で柔道畳２を囲む。
【００１１】
柔道畳３は、長手方向両端面８，９の中央部に雄面ファスナー６と雌面ファスナー７とが各々設けられ、正方形のリング状に連結された直線部分に配置される。柔道畳４は、長手方向の端面１０の中央部に雌面ファスナー７が設けられ、短手方向の端面１１には、隣接して連結される柔道畳３の長手方向端面９に設けられる雌面ファスナー７が接着する雄面ファスナー６が設けられる。
【００１２】
柔道畳５は、長手方向の端面１２の中央部に雄面ファスナー６が設けられ、短手方向の端面１３には、隣接して連結される柔道畳３の長手方向端面８に設けられる雄面ファスナー６が接着する雌面ファスナー７が設けられる。柔道場１の中央部に設置される柔道畳２が増えた場合には、直線部分に配置される柔道畳３が増やされる。
【００１３】
次に、雄面ファスナー６および雌面ファスナー７の縫い付け部について説明する。柔道畳３，４および５は、柔道畳２と同様に、たとえば長さ１８２ｃｍ，幅９１ｃｍ，厚み６ｃｍであるが、雄面ファスナー６あるいは雌面ファスナー７として、例えば幅Ｔが３８ｍｍのものを長さＬが８０ｃｍにカットしたものが用いられる。
【００１４】
図３は、柔道畳３の雄面ファスナー６の縫い付け部を示す斜視図である。図３に示すように、柔道畳３の長手方向端面８に縫い付けられる雄面ファスナー６は、表面材で覆われた端面８の中央下部に表面材とともに畳床に縫い付けられる。柔道畳３の長手方向端面９に縫い付けられる雌面ファスナー７、柔道畳４の長手方向端面１０に縫い付けられる雌面ファスナー７および柔道畳５の長手方向端面１２に縫い付けられる雄面ファスナー６についても同様である。
【００１５】
図４は、柔道畳４の雄面ファスナー６の縫い付け部を示す斜視図である。図４に示すように、柔道畳３の長手方向端面９に縫い付けられる雌面ファスナー７が接着する柔道畳４の短手方向の端面１１に縫い付けられる雄面ファスナー６は、端面１１の端部から、たとえば５ｃｍの間隔を空けて、表面材で覆われた端面１１の下部に表面材とともに畳床に縫い付けられる。
柔道畳４の雄面ファスナー６と柔道畳３の雌面ファスナー７とを接着すると、柔道畳４の面ファスナー７が縫い付けられていない長手方向端面１５と柔道畳３の外部に臨む短手方向端面１６とが概ね揃った状態で連結される。柔道畳３の長手方向端面８に縫い付けられる雄面ファスナー６が接着する柔道畳５の短手方向の端面１３に縫い付けられる雄面ファスナー７についても同様である。柔道畳４の雄面ファスナー６と柔道畳３の雌面ファスナー７とを接着すると、柔道畳５の面ファスナー６が縫い付けられていない長手方向端面１７と柔道畳３の外部に臨む短手方向端面１６とが概ね揃った状態で連結される。
面ファスナー６，７を端面８，９，１０，１１，１２，１３の上部に縫い付けた場合には、競技者の動きによって面ファスナー６，７が変形し易く安定した接着力が得られない。
【００１６】
柔道畳３，４および５は、柔道畳２に面ファスナー６，７を縫い付けたものであり、競技者は、柔道畳２と同様に、柔道畳３，４および５の上でも競技することができるので、柔道場の設置場所を有効に利用することができる。
【００１７】
面ファスナー６，７を縫合した３種類の柔道畳３，４および５を備えることによって、あらゆる広さの柔道場１に対応することができ、コストダウンにも繋がる。また、柔道場１の周囲に寄せ枠を設けることを要しないので体育館や競技場などに簡易に設置することができ、寄せ枠を設置することで床面を傷つけるということもない。
【００１８】
図５は、本発明の第２の実施形態における柔道畳３の雄面ファスナー１４の縫い付け部を示す斜視図である。第１の実施例では、雄面ファスナー６の長さＬを８０ｃｍにカットしたものを用いたが、図５に示すように、面ファスナー６，７は、一定の間隔を設けて２箇所に分離して縫い付けるものでもよい。面ファスナー６の長さを調整することによって、柔道畳３，４，５を繋ぎ直して位置合わせをし、または柔道畳３，４，５を取り除く場合に、適度な接着力とすることができる。
【００１９】
このように、複数枚の柔道畳２，３，４，５によって形成される柔道場１の周縁部に設置される周縁用の柔道畳３，４，５であって、前記周縁用の柔道畳３，４，５は、前記周縁部に前記周縁用の柔道畳３，４，５と隣接して設置される他の周縁用の柔道畳３，４，５と連結し柔道場１の内部に設置される柔道畳２を囲む連結部が設けられるので、柔道場１の内部に設置される柔道畳２は、柔道場１の周縁部に設置される柔道畳３，４，５によって囲まれ移動が制限されるので、競技者の動きによってずれることがなく、隣接して設置される複数の柔道畳２の周囲に寄せ枠を設けることを要しない。
さらに、柔道畳３，４，５は、長手方向両端面８，９に各々雄面ファスナー６と雌面ファスナー７とが設けられる第１の柔道畳と、第１の柔道畳の長手方向の端面９に設けられる雌面ファスナー７と接着する雄面ファスナー６を短手方向の端面１１に有し、第１の柔道畳の長手方向端面９に設けられる雄面ファスナー６と接着する雌面ファスナー７を長手方向の端面１０に有する第２の柔道畳と、第１の柔道畳の長手方向端面８に設けられる雄面ファスナー６と接着する雌面ファスナー７を短手方向の端面１３に有し、第１の柔道畳の長手方向端面１０に設けられる雌面ファスナー７と接着する雄面ファスナー６を長手方向の端面１２に有する第３の柔道畳との３種類であるので、柔道畳３，４および５を備えることによって、あらゆる広さの柔道場１に対応することができ、コストダウンにも繋がる。
【符号の説明】
【００２０】
１    柔道場
２，３，４，５    柔道畳
６，１４    雄面ファスナー
７    雌面ファスナー
８，９，１０，１１，１２，１３，１５，１６，１７    端面
【図１】
2011162968.tif 000003
【図２】
2011162968.tif 000004
【図３】
2011162968.tif 000005
【図４】
2011162968.tif 000006
【図５】
2011162968.tif 000007